(57)【特許請求の範囲】
【請求項１】
ＬＥＤを点灯するＬＥＤ点灯装置であって、
入力電源を整流して整流脈流電圧を出力する整流回路、
前記整流回路の出力端子間に接続されて前記整流脈流電圧が印加され、前記入力電圧の位相角がゼロクロスから第１の位相角以上第２の位相角未満の範囲にあるときに、該出力端子間に第１の抵抗を介して入力保持用電流が流れるように構成された第１の回路、及び
前記整流回路の出力端子間に接続されて前記整流脈流電圧が印加され、前記入力電圧の位相角がゼロクロスから前記第２の位相角以上の範囲にあるときに動作して、前記ＬＥＤに給電するとともに前記入力保持用電流を遮断するように構成された第２の回路
を備え、
前記第１の回路が前記第１の抵抗と第１のトランジスタの第１の直列回路及び第２の抵抗と第２のトランジスタの第２の直列回路を含み、該第１の直列回路及び該第２の直列回路が前記整流回路の出力端間に並列接続され、前記第２の抵抗の一端が前記整流回路の一方の出力端に接続され、前記第２の抵抗の他端が前記第２のトランジスタのコレクタ端子に接続され、前記第２のトランジスタのエミッタ端子が前記整流回路の他方の出力端に接続され、前記第２のトランジスタが導通状態となると前記第１のトランジスタが非導通状態となるとともに該第２のトランジスタが非導通状態となると該第１のトランジスタが導通状態となるように該第１のトランジスタと該第２のトランジスタとが接続され、
前記第２の回路が、チョークコイルを含む降圧チョッパ回路からなり、前記チョークコイルが二次巻線を有し、該二次巻線に発生する電圧を整流平滑した出力が前記第２のトランジスタのベース端子に入力され、該チョークコイルに電流が流れると前記第２のトランジスタが導通状態となるように構成されたＬＥＤ点灯装置。
【請求項２】
ＬＥＤを点灯するＬＥＤ点灯装置であって、
入力電源を整流して整流脈流電圧を出力する整流回路、
前記整流回路の出力端子間に接続されて前記整流脈流電圧が印加され、前記入力電圧の位相角がゼロクロスから第１の位相角以上第２の位相角未満の範囲にあるときに、該出力端子間に第１の抵抗を介して入力保持用電流が流れるように構成された第１の回路、及び
前記整流回路の出力端子間に接続されて前記整流脈流電圧が印加され、前記入力電圧の位相角がゼロクロスから前記第２の位相角以上の範囲にあるときに動作して、前記ＬＥＤに給電するとともに前記入力保持用電流を遮断するように構成された第２の回路
を備え、
前記第１の回路が前記第１の抵抗と第１のトランジスタの第１の直列回路及び第２の抵抗と第２のトランジスタの第２の直列回路を含み、該第１の直列回路及び該第２の直列回路が前記整流回路の出力端間に並列接続され、前記第２の抵抗の一端が前記整流回路の一方の出力端に接続され、前記第２の抵抗の他端が前記第２のトランジスタのコレクタ端子に接続され、前記第２のトランジスタのエミッタ端子が前記整流回路の他方の出力端に接続され、前記第２のトランジスタが導通状態となると前記第１のトランジスタが非導通状態となるとともに該第２のトランジスタが非導通状態となると該第１のトランジスタが導通状態となるように該第１のトランジスタと該第２のトランジスタとが接続され、
前記第２の回路が、一次巻線及び二次巻線を有するトランスを含む絶縁型のチョッパ回路からなり、前記トランスが更に三次巻線を有し、該三次巻線に発生する電圧を整流平滑した出力が前記第２のトランジスタのベース端子に入力され、前記トランスに電流が流れると前記第２のトランジスタが導通状態となるように構成されたＬＥＤ点灯装置。
【請求項３】
請求項１又は２に記載のＬＥＤ点灯装置において、
前記第１の回路において、前記第１の抵抗の一端及び前記第２の抵抗の一端が前記整流回路の一方の出力端に接続され、前記第１の抵抗の他端が前記第１のトランジスタのコレクタ端子に接続され、該第１のトランジスタ及び前記第２のトランジスタのエミッタ端子が前記整流回路の他方の出力端に接続され、前記第１のトランジスタのベース端子が前記第２のトランジスタのコレクタ端子に接続された、ＬＥＤ点灯装置。
【請求項４】
記ＬＥＤが接続された、請求項１から３のいずれか一項に記載のＬＥＤ点灯装置、該ＬＥＤ点灯装置を保持するハウジング、及び該ＬＥＤ点灯装置の前記整流回路の入力端子に電気的に接続されるとともに該ハウジングに取り付けられた口金を備えたＬＥＤ電球。
【発明の詳細な説明】
【技術分野】
【０００１】
本発明は、ＬＥＤ点灯装置及びＬＥＤ電球に関し、特に、電源から点滅器を介して接続される場合にも適切に動作することができるＬＥＤ点灯装置及びＬＥＤ電球に関する。
【背景技術】
【０００２】
近年、図５に示すように、周囲の照度と人が近づいたことを検出して夜間に白熱電球４を点灯させるセンサー付き点滅器２（以下、「点滅器２」という）が普及している。図６は図５の回路の動作を示す図である。図６（ａ）に示す電源電圧の下で、センサー２３の周囲の照度が低く、かつ人が近づいたことをセンサー２３が検出すると、センサー２３は検知信号を出力する。図６（ｂ）に示すように、ゲートトリガ回路２２は、検知信号を受けて電源電圧のゼロクロス直後にゲートトリガ信号を発生し、トライアック２１をほぼ全位相角にてオンさせる。これにより、センサー２３からの検知信号がなくなるまで、又は検知信号が出力されてから所定時間が経過するまで、トライアック２１の導通状態が維持され、図６（ｃ）に示すように、電源１からの電流が白熱電球４に継続して供給され、白熱電球４の点灯状態が維持される。
【０００３】
ところで、近年白熱電球の代替としてＬＥＤ電球が普及し、点滅器２にＬＥＤ電球が接続されて使用される場合が増えてきている。図７は、点滅器２及び一般的な点灯装置５を示すものである（特許文献１参照）。点灯装置５は、整流回路３１及び電解コンデンサ４２からなるコンデンサインプット型の整流平滑回路、並びにＰＷＭ制御回路３２、ダイオード３３、コイル３４トランジスタ（スイッチング素子）３６、電流検出抵抗３７及びコンデンサ４３からなる降圧チョッパ回路からなる。点滅器２がない場合は、整流平滑回路によって電源１の入力電圧が整流平滑された平滑電圧が降圧チョッパ回路に入力される。降圧チョッパ回路において、電流検出抵抗３７によって検出されたスイッチング素子３６のスイッチング電流が一定となるようにＰＷＭ制御回路３２によってスイッチング素子３６がＰＷＭ制御され、ＬＥＤ３８に供給する電流が所望値に制御される。
【０００４】
図８は図７の点滅器２及び点灯装置５の動作波形図である。点灯装置５はいわゆるコンデンサインプット型の回路であるため、図８（ａ）に示す電源電圧に対して、入力電流は、図８（ｃ）の点線で示すように電源電圧のピーク近辺（位相角９０°付近）において狭い位相角でのパルス状の波形となる。
【先行技術文献】
【特許文献】
【０００５】
【特許文献１】特開２０１０−２８７４３０号公報
【発明の概要】
【発明が解決しようとする課題】
【０００６】
しかし、図７に示すような点灯装置５を、トライアック２を含む点滅器２を用いてオンしようとすると以下のような問題がある。
図６に示す動作と同様に、センサー２３が検知信号を出力すると、図８（ｂ）に示すように、ゲートトリガ回路２２がゲートトリガ信号を電源電圧のゼロクロス直後に発生させる。ここで、トライアック２１が一旦ターンオンしても、図８（ｃ）に示すように、ゲートトリガ信号が出力されるゼロクロス付近の低位相角の期間においては、図８（ｃ）に示すように入力電流が流れないため、トライアック２１には導通維持に必要な電流が流れない。従って、トライアック２１は、ゲートトリガ信号を受けてターンオンしても、コンデンサ４２に充電電流が流れる高い位相角になるまでそのオン状態を保持することができずに、直ぐにオフ状態となる。従って、センサー２３が検知信号を出力しても、点灯装置５は電源１の位相角のほぼ全体にわたって電源１から切り離されることになり、ＬＥＤ３８を点灯させることができなくなってしまう。
【０００７】
ここで、図９に示すように点灯装置５の入力端子間に抵抗５０１を接続すれば、電源電圧のゼロクロス直後にトライアック２１がターンオンされても、トライアック２１がオン状態を保持できるような電流（図１０（ｄ））を抵抗５０１を介して流すことができる。この場合、例えば電源電圧をＡＣ１００Ｖとして、電源電圧の位相角が５°（約１２Ｖピーク時点）の時にトライアック２１の保持電流として例えば５ｍＡを確保する必要がある場合、抵抗５０１の抵抗値を２．４ｋΩ以下とする必要がある。しかし、電源電圧の全位相角に亘って抵抗５０１にＡＣ１００Ｖの電圧が印加されると、抵抗５０１の消費電力は４Ｗを超えるものとなってしまう。これにより、抵抗５０１からの発熱を放熱させるための構成を追加する必要が生じ、ＬＥＤ電球が大型化し、照明としての効率（照度／入力電力）が低下してしまうという問題がある。
【０００８】
そこで、本発明は上記問題を鑑みなされたものであり、電源電圧のゼロクロス直後にトライアックをオンする点滅器が接続された場合でもトライアックをほぼ全位相角にてオン状態とすることができるＬＥＤ点灯装置を、低損失で大型化しない構成で提供することを目的とする。そして、本発明は、上記のような点滅器が使用される環境下においても、白熱電球と代替可能なＬＥＤ電球を提供することを目的とする。
【課題を解決するための手段】
【０００９】
本発明の第１の側面は、ＬＥＤを点灯するＬＥＤ点灯装置であって、入力電源を整流して整流脈流電圧を出力する整流回路（３１）、整流回路の出力端子間に接続されて整流脈流電圧が印加され、入力電圧の位相角がゼロクロスから第１の位相角以上第２の位相角未満の範囲にあるときに出力端子間にインピーダンス素子を介して入力保持用電流が流れるように構成された第１の回路（３Ａ）、及び整流回路の出力端子間に接続されて整流脈流電圧が印加され、入力電圧の位相角がゼロクロスから第２の位相角以上の範囲にあるときに動作し、ＬＥＤに給電するとともに入力保持用電流を遮断するように構成された第２の回路（３Ｂ）を備えたＬＥＤ点灯装置である。
【００１０】
ここで、第１の回路が第１の抵抗と第１のトランジスタの第１の直列回路及び第２の抵抗と第２のトランジスタの第２の直列回路を含み、第１の抵抗が上記インピーダンス素子であり、第１の抵抗の一端と第２の抵抗の一端がともに整流回路の一方の出力端に接続され、第１の抵抗の他端が該第１のトランジスタのコレクタ端子に接続され、第２の抵抗の他端が第２のトランジスタのコレクタ端子に接続され、第１のトランジスタのエミッタ端子と第２のトランジスタのエミッタ端子が整流回路の他方の出力端に接続され、第１のトランジスタのベース端子が第２のトランジスタのコレクタ端子に接続され、第２の回路が、チョークコイルを含む降圧チョッパ回路からなり、チョークコイルを通過する電流に応じた信号が第２のトランジスタのベース端子に入力され、チョークコイルに電流が流れると第２のトランジスタが導通状態となるとともに第１のトランジスタが非導通状態となるように構成される。
【００１１】
さらに、チョークコイルが二次巻線を有し、二次巻線に発生する電圧に応じた信号が第２のトランジスタのベース端子に入力され、チョークコイルに電流が流れると第２のトランジスタが導通状態となるように構成することが好ましい。
【００１２】
本発明の第２の側面は、ＬＥＤが接続された上記第１の側面のＬＥＤ点灯装置、ＬＥＤ点灯装置を保持するハウジング、及びＬＥＤ点灯装置の整流回路の入力端子に電気的に接続されるとともにハウジングに取り付けられた口金を備えたＬＥＤ電球である。
【図面の簡単な説明】
【００１３】
【図１】本発明の実施例によるＬＥＤ点灯装置の回路図である。
【図２】図１のＬＥＤ点灯装置における動作波形図である。
【図３】本発明のＬＥＤ電球の概略図である。
【図４】本発明の変形例を説明する図である。
【図５】従来の白熱球を負荷とした点滅器の回路図である。
【図６】図５の点滅器における動作波形図である。
【図７】従来のＬＥＤ点灯装置の回路図である。
【図８】図７の回路における動作波形図である。
【図９】図７のＬＥＤ電球に抵抗を加えた回路図である。
【図１０】図９の回路における動作波形図である。
【発明を実施するための形態】
【００１４】
図１は本発明によるＬＥＤ点灯装置３（以下、「点灯装置３」という）の回路構成図である。点滅器２の構成は図５、７及び９に示したものと同様であり、検知対象物を検知したときに検知信号を発生するセンサー２３、検知信号を受けてゲートトリガ信号を生成するゲートトリガ回路２２、及びゲートトリガ信号を受けて導通するトライアック２１からなる。点灯装置３は整流回路（ダイオードブリッジ）３１、第１の回路３Ａ、第２の回路３Ｂ及びＬＥＤ３８からなる。
【００１５】
第１の回路３Ａは、整流回路３１の出力端子間に接続され、整流回路３１によって電源電圧が全波整流された脈流電圧が印加される。第１の回路３Ａは、抵抗３０１とトランジスタ３０２の直列回路及び抵抗３０３とトランジスタ３０４の直列回路を有する。抵抗３０１の一端と抵抗３０３の一端が整流回路３１の高電位側で接続され、第１の回路３Ａでは、抵抗３０１の他端がトランジスタ３０２のコレクタ端子に接続され、抵抗３０３の他端がトランジスタ３０４のコレクタ端子に接続され、トランジスタ３０２のエミッタ端子とトランジスタ３０４のエミッタ端子が整流回路３１の低電位側（グランド側）で接続され、トランジスタ３０２のベース端子がトランジスタ３０４のコレクタ端子に接続される。
【００１６】
第２の回路３Ｂは、整流回路３１の出力端子間に接続され、整流回路３１によって電源電圧が全波整流された脈流電圧が印加される。第２の回路３Ｂは、ＰＷＭ制御回路３２、ダイオード３３、チョークコイル３４Ａ、平滑コンデンサ３５、トランジスタ（スイッチング素子）３６、及び電流検出抵抗３７からなる降圧チョッパ回路を備える。降圧チョッパ回路に印加される脈流電圧（即ち、整流回路３１の出力電圧）がＬＥＤ３８の順方向電圧を超えると、ＰＷＭ制御回路３２は電流検出抵抗３７に流れる電流が設定値に一致するようにスイッチング素子３６をＰＷＭ制御し、ＬＥＤ３８に流れる電流が略一定に制御される。
【００１７】
第２の回路３Ｂはさらに、チョークコイル３４Ａの二次巻線に接続されたダイオード３０５、コンデンサ３０６及び抵抗３０７からなる検出回路を備える。チョークコイル３４Ａに電流が流れると、検出回路は、チョークコイル３４Ａの二次巻線に発生する出力を、ダイオード３０５とコンデンサ３０６で整流平滑して抵抗３０７を介して第１の回路３Ａのトランジスタ３０４のベースに入力する。
【００１８】
平滑コンデンサ３５はＬＥＤ３８に流れる電流のリップルを平滑化し、降圧チョッパ回路の停止時においても短い時間であればＬＥＤ３８のオン状態を維持させることができる。なお、ＬＥＤ３８に流れる電流において、電源１の周波数の２倍の周波数のリップル又は消灯期間を許容できる場合には、平滑コンデンサ３５は図示するような電解コンデンサではなくフィルムコンデンサ等の比較的容量の小さいコンデンサであってもよい。
【００１９】
図２を参照して点滅器２及び点灯装置３の動作を説明する。
図２（ａ）は電源１の電源電圧を示す。この電源電圧の下で、図６、８及び１０と同様に、センサー２３の周囲の照度が低く、かつ人が近づいたことをセンサー２３が検出すると、センサー２３は検知信号を出力する。
図２（ｂ）はゲートトリガ回路２２のゲートトリガ信号を示す。センサー２３からの検知信号を受けて、ゲートトリガ回路２２が電源電圧のゼロクロス直後に（位相角５°で）ゲートトリガ信号を発生する。
【００２０】
ゲートトリガ信号によってトライアック２１がターンオンされると、電源１から整流回路３１及び抵抗３０３を介してトランジスタ３０２にベース電流が供給され、トランジスタ３０２が導通状態となる。これにより、抵抗３０１が整流回路３１の出力端子間に接続され、抵抗３０１によって電流値が決まる入力保持用電流がトライアック２１に流れる。抵抗３０１の抵抗値は、位相角５°においてトライアック２１が導通保持電流を確保できるように設定される。例えば、ＡＣ１００Ｖ入力の場合に、位相角５°（即ち、電源電圧１２Ｖ）で入力電流が５ｍＡ以上となるように、抵抗３０１には２．４ｋΩ以下の抵抗値が選定される。電源の位相角が増加するのにつれてトライアック２１の電流は図２（ｄ）のように電源電圧の瞬時値に比例して大きくなり、トライアック２１のオン状態が保持される。なお、作図の関係上、図２（ｄ）ではゼロクロスにおいて入力保持電流が連続しているように記載されているが、採用されるトライアックの特性によってゼロクロス付近の保持電流はわずかに途切れる場合もある。
【００２１】
負荷であるＬＥＤ３８の順方向電圧が、例えば４０Ｖである場合、電源電圧の位相角が２４°以上となり、脈流電圧の瞬時値が４０Ｖとなると、第２の回路の降圧チョッパ回路が動作を開始する。そして、電源電圧の位相角が２４°以上の範囲で降圧チョッパ回路が動作状態となり、第２の回路３Ｂへの入力電流は図２（ｃ）に示すものとなる。
【００２２】
図２（ｅ）に本実施例の点灯装置３への入力電流を示す。図２（ｅ）は図２（ｃ）及び（ｄ）の電流を合成したものである。
【００２３】
ここで、降圧チョッパ回路のチョークコイル３４Ａにも位相角２４°以降はスイッチング電流が流れることにより、その二次巻線にも電圧が発生する。二次巻線の電圧がダイオード３０５とコンデンサ３０６で整流平滑され、抵抗３０７を介してトランジスタ３０４のベースに電流が供給される。即ち、ゼロクロスからの位相角が２４°以上となると、トランジスタ３０４が導通状態となる。すると、トランジスタ３０２のベース電流がなくなり、トランジスタ３０２は非導通状態となり、抵抗３０１の接続は開放される。即ち、位相角２４°となった以降は、抵抗３０１での消費電力がなくなる。そして、トライアック２１には点灯装置３（即ち、第２の回路３Ｂ）への入力電流が流れ続けているため、ターンオフすることはなく、点灯装置３は動作を維持することができる。
【００２４】
次に電源の位相角が９０°を超え、点灯装置３（特に、第２の回路３Ｂ）に印加される脈流電圧が低下し始め、電源電圧の瞬時値が４０Ｖを下回る６６°になると（即ち、次のゼロクロスまで２４°未満となると）降圧チョッパ回路が停止し、第２の回路３Ｂには電流が流れなくなる。従って、チョークコイル３４Ａの二次巻線の電圧もなくなり、トランジスタ３０４は非導通状態、トランジスタ３０２は導通状態となり、再度抵抗３０１が整流回路３１の出力端子間に接続され、抵抗３０１を経由する電流がトライアック２１に流れてそのオン状態が保持される。電源電圧がゼロクロスを過ぎると、上記と同様の動作が繰り返される。
【００２５】
ここで、降圧チョッパ回路に電流が流れない期間、即ち、電源電圧の位相角がゼロクロスから２４°未満の範囲で電源電圧の瞬時値が４０Ｖ以下の期間においても、平滑コンデンサ３５の容量が適切に設定されていれば、ＬＥＤ３８に流れる電流の休止期間を発生させることなく、安定した点灯を維持することができる。
【００２６】
上記の動作をまとめると、第１の回路は、電源１からの入力電圧の位相角がゼロクロスから第１の位相角（本例では５°）以上第２の位相角（本例では２４°）未満の範囲にあるときに整流回路３１の出力端子間にインピーダンス素子（本例では抵抗３０１）を介して入力保持用電流を流す。そして、第２の回路は、電源１からの入力電圧の位相角がゼロクロスから第２の位相角（本例では２４°）以上の範囲にあるときに動作し、ＬＥＤ３８に給電するとともに上記入力保持用電流を遮断する。なお、電源電圧の位相角がゼロクロスから０°以上２４°未満の範囲にあるときは、電解コンデンサ３５からの放電電流によりＬＥＤ３８の点灯が維持され得る。
【００２７】
上記動作を繰り返すことにより、例えば電源電圧がＡＣ１００ＶでＬＥＤ電圧が４０Ｖの条件では、トライアック２１のオン状態を保持する際に抵抗３０１に印加される電圧の実効値は１２Ｖに抑えられる。これにより、従来例と同様に５ｍＡのトライアック導通保持電流を確保しようとした場合でも、２．４ｋΩの抵抗３０１における入力保持用電流による消費電力は０．１Ｗに抑えられる。これは、図９に示す点灯装置５の抵抗５０１での消費電力（４Ｗ超）に比べて格段に小さい。
【００２８】
従って、トライアックを用いた点滅器に対応したＬＥＤ点灯装置を、損失増加による大型化や効率低下を伴うことなく実現することができる。なお、抵抗３０１での消費電力が上記のように非常に小さいことから、抵抗３０１の抵抗値をさらに低くして上記動作をより確実に行うこともできる。
【００２９】
図３に、上記点灯装置を搭載したＬＥＤ電球を示す。本発明のＬＥＤ電球は、ＬＥＤ３８が接続された点灯装置３、点灯装置３を保持するハウジング５０、ハウジング５０に取り付けられたカバー５５、及び点灯装置３に電気的に接続されるとともにハウジング５０に取り付けられた口金６０を備える。口金６０には、整流回路３１の入力端子が配線６１及び６２を介して電気的に接続される。なお、ＬＥＤ電球の仕様に応じてカバー５５はあってもなくてもよい。なお、図面（特に、ハウジング５０の内部に配置される点灯装置３、配線６１及び６２並びにＬＥＤ素子３８）は模式的に示したものであり、配置、形状及び大きさは図示したものに限定されない。
【００３０】
上記構成により、点滅器２に対応可能であり、かつ低損失で小型なＬＥＤ電球を実現できる。従って、従来からある点滅器２が使用される環境において、白熱電球と代替可能なＬＥＤ電球を提供することができる。
【００３１】
なお、上記に本発明の最も好適な例を示したが、本発明は、その趣旨を逸脱しない範囲で、例えば以下のように変形可能である。
図１の実施例では、第２の回路として非絶縁型の降圧チョッパ回路（第２の回路３Ｂ）を用いたが、例えば、図４に示すように絶縁型のチョッパ回路（第２の回路３Ｂ´）とすることもできる。この場合も、トランス３９に三次巻線を設け、三次巻線に図１と同様の検出回路（ダイオード３０５、コンデンサ３０６及び抵抗３０７）を接続して、第１の回路３Ａのトランジスタ３０４を制御するようにすればよい。また、トランス３９の二次巻線にカレントトランスを直列接続してカレントトランスの二次巻線に上記検出回路を接続してもよい。
【００３２】
図１の実施例では、検出回路の入力部をチョークコイル３４Ａの二次巻線としたが、点ａ→ｂ→ｃ→ｄの経路中のいずれかの箇所、又はスイッチング素子３６に直列にカレントトランスの一次巻線を挿入し、カレントトランスの二次巻線に図１と同様の検出回路を接続してもよい。即ち、検出回路は、スイッチング素子３６がＯＦＦの期間にチョークコイル３４Ａに流れる電流（ダイオード３３に流れる電流）を検出するようにしてもよいし、スイッチング素子３６がＯＮの期間にチョークコイル３４Ａに流れる電流（スイッチング素子３６に流れる電流）を検出するようにしてもよいし、スイッチング素子３６のＯＮ−ＯＦＦ全期間にわたってチョークコイル３４Ａに流れる電流を検出するようにしてもよく、これらは全て「チョークコイルを通過する電流」といえる。スイッチング素子３６のＯＮ−ＯＦＦ全期間にわたってチョークコイル３４Ａに流れる電流を検出する場合、コンデンサ３０６の容量を他の場合に比べて小さくできる。
【００３３】
図１の実施例では、入力保持用電流を流すためのインピーダンス素子として抵抗３０１を接続したが、他のインピーダンス素子を用いることもできる。例えば、抵抗３０１の代わりにコンデンサを接続し、入力保持用電流の継続が必要な短期間だけ、整流回路３１の出力端子間に当該コンデンサの充電電流が流れるようにしてもよい。但し、インピーダンス素子をコンデンサとする場合は、第２の回路が動作するときにコンデンサの電荷を放電するための放電回路（例えば、コンデンサに並列接続された抵抗）を設ける必要がある。
【００３４】
図１の実施例では、第１の回路としてｎｐｎトランジスタ３０２及び３０４を用いて構成したが、ｐｎｐトランジスタを用いて構成することもできる。その場合も、抵抗３０１の一端と抵抗３０３の一端をグランド側に接続し、抵抗３０１の他端をトランジスタ３０２のコレクタ端子に接続し、抵抗３０３の他端をトランジスタ３０４のコレクタ端子に接続し、トランジスタ３０２のエミッタ端子とトランジスタ３０４のエミッタ端子を整流回路３１の高電位側に接続して、トランジスタ３０２のベース端子をトランジスタ３０４のコレクタ端子に接続すればよい。また、この場合、検出回路をグランド側でなく高電位側に接続する必要がある。
【００３５】
図１の実施例では、抵抗３０１、トランジスタ３０２、抵抗３０３及びトランジスタ３０４が第１の回路３Ａに含まれ、ダイオード３０５、コンデンサ３０６及び抵抗３０７が第２の回路３Ｂに含まれる構成を示したが、この区分けは便宜的なものであり、第１の回路３Ａが抵抗３０１、トランジスタ３０２及び抵抗３０を含みさえすれば、トランジスタ３０４、ダイオード３０５、コンデンサ３０６及び抵抗３０７は第１の回路３Ａに含まれても第２の回路３Ｂに含まれてもよい。
【符号の説明】
【００３６】
３：ＬＥＤ点灯装置（点灯装置）
３Ａ：第１の回路
３Ｂ、３Ｂ´：第２の回路
３１：整流回路
３２：ＰＷＭ制御回路
３３、４０：ダイオード
３４Ａ：チョークコイル
３５、４１：コンデンサ
３６：スイッチング素子
３７：電流検出抵抗
３８：ＬＥＤ
３９：トランス
５０：ハウジング
５５：カバー
６０：口金
６１、６２：配線
３０１、３０３、３０７：抵抗
３０２、３０４：トランジスタ
３０５：ダイオード
３０６：コンデンサ
【図１】
0005741305.tif 000002
【図２】
0005741305.tif 000003
【図３】
0005741305.tif 000004
【図４】
0005741305.tif 000005
【図５】
0005741305.tif 000006
【図６】
0005741305.tif 000007
【図７】
0005741305.tif 000008
【図８】
0005741305.tif 000009
【図９】
0005741305.tif 000010
【図１０】
0005741305.tif 000011